(57)【要約】      （修正有）【課題】Ｗｅｂページを興味のおもむくまま次々に表示して閲覧（例えば、ネットサーフィン）しているユーザの関心をひきつける情報を提供する画像制御プログラム等を提供する。【解決手段】画像制御プログラムは、商品画像３４とマウスポインタ３０の画面上の位置を示す位置情報に基づいて、商品画像３４を拡大表示等させる。【選択図】図５
2011215795.tif 000002
【特許請求の範囲】
【請求項１】
Ｗｅｂページの所定の位置に表示される商品画像を制御する画像制御プログラムであって、
前記Ｗｅｂページを表示する端末装置に、
前記端末装置の入力装置から取得される入力情報を特定し、前記特定した入力情報の前記Ｗｅｂページ上における座標情報を取得する座標情報取得ステップと、
前記商品画像の前記Ｗｅｂページの表示位置を示すレイアウト情報を特定するレイアウト情報特定ステップと、
前記座標情報と前記レイアウト情報とを所定期間取得する取得ステップと、
前記取得ステップによって取得された前記座標情報と前記レイアウト情報とに基づいて、前記商品画像の領域を、前記入力情報の座標情報が示す位置まで拡大表示させ、前記入力情報を前記商品画像の領域に重畳して表示させる表示制御ステップと、
を実行させる画像制御プログラム。
【請求項２】
請求項１に記載の画像制御プログラムであって、
前記表示制御ステップは、さらに、前記商品画像に関連する情報を示す他の画像を表示させることを特徴とする画像制御プログラム。
【請求項３】
請求項１又は２の何れか１項に記載の画像制御プログラムであって、
前記表示制御ステップは、さらに、前記商品画像に関連する情報を示す他のＷｅｂページを表示させることを特徴とする画像制御プログラム。
【請求項４】
請求項１乃至３の何れか１項に記載の画像制御プログラムであって、
前記表示制御ステップは、前記特定した入力情報を重畳して表示させた前記Ｗｅｂページと、前記特定した入力情報を重畳して表示させた前記商品画像に関連する情報を示す他のＷｅｂページとを表示させ、
前記入力装置から取得される入力情報を、前記他のＷｅｂページに重畳して表示させた入力情報に切り替える入力情報制御ステップと、
を実行させる画像制御プログラム。
【請求項５】
請求項１乃至４の何れか１項に記載の画像制御プログラムであって、
前記表示制御ステップは、前記座標情報が、前記商品画像の表示領域を含む所定の表示領域の範囲内に入った後、前記範囲内から出たと判定された場合に、前記レイアウト情報に含まれる商品画像の領域を、前記入力情報の座標情報が示す位置まで拡大表示させる画像制御プログラム。
【請求項６】
Ｗｅｂページを端末に表示させる表示制御装置であって、
前記端末の入力装置から取得される入力情報を特定し、前記特定した入力情報が前記Ｗｅｂページ上における座標情報を取得する座標情報取得手段と、
前記商品画像の前記Ｗｅｂページにおける表示位置を示すレイアウト情報を特定するレイアウト情報特定手段と、
前記座標情報と前記レイアウト情報とを所定期間取得する取得手段と、
前記取得ステップによって取得された前記座標情報と前記レイアウト情報に基づいて、前記商品画像の領域を、前記入力情報の座標情報が示す位置まで拡大表示させ、前記入力情報を前記商品画像の領域に重畳して表示させる表示制御手段と、
を備えることを特徴とする表示制御装置。
【請求項７】
Ｗｅｂページを受信する受信ステップと、
前記端末の入力装置から取得される入力情報を特定し、前記特定した入力情報が前記Ｗｅｂページ上における座標情報を取得する座標情報取得ステップと、
前記Ｗｅｂページにおける前記商品画像の前記Ｗｅｂページにおける表示位置を示すレイアウト情報を特定するレイアウト情報特定ステップと、
前記座標情報と前記レイアウト情報とを所定期間取得する取得ステップと、
前記取得ステップによって取得された前記座標情報と前記レイアウト情報に基づいて、前記商品画像の領域を、前記入力情報の座標情報が示す位置まで拡大表示させ、前記入力情報を前記商品画像の領域に重畳して表示させる表示制御ステップと、
を有することを特徴とする画像制御方法。
【発明の詳細な説明】
【技術分野】
【０００１】
本発明は、ユーザの関心をひきつける情報を提供する画像制御プログラム、表示制御装置及び画像制御方法等の技術分野に関する。
【背景技術】
【０００２】
近年、インターネットを介して電子商取引を行うＷｅｂサイト等が多く存在する。このようなＷｅｂサイトにおいて、新規ユーザやネットサーフィンを目的したユーザの購買意欲を惹起させる技術が検討されている。例えば、Ｗｅｂページのデザインに創意工夫を施し、ユーザのアイキャッチ効果（Ｗｅｂページを見た瞬間に、かかるＷｅｂページをユーザに印象付ける効果）を狙ったページに構成することが挙げられる。
【０００３】
また、特許文献１では、ダイレクトメールを使用してユーザを呼び込む技術が公開されている。具体的には、ダイレクトメールとして簡易な広告情報をより多くの顧客に送信するとともに、その広告情報に興味を示した顧客に対してさらに詳細な広告情報をメールで送信し、ユーザの購買意欲を刺激する広告代理システムを提供する技術が開示されている。
【０００４】
そして、特許文献２では、広告番組表の改定の有無に応じて利用者広告制御プログラムにより表示された広告コンテンツについてポインティングデバイスが広告コンテンツの上を走査し、又は該広告コンテンツの上でクリックされた行動を検出し、サーバへ送信する技術が開示されている。
【０００５】
さらに、特許文献３では、ユーザの入力された情報に基づいて、互いに関連する複数の情報を１まとまりの情報群として結合してユーザに提供する技術が開示されている。
【先行技術文献】
【特許文献】
【０００６】
【特許文献１】特許第３３３３１５８号公報
【特許文献２】特許第３９８５０６０号公報
【特許文献３】特許第４１４７２３６号公報
【発明の概要】
【発明が解決しようとする課題】
【０００７】
しかしながら、上述した従来技術では、ユーザの購買意欲を刺激したとしても、その購買意欲の刺激が、商品の購買に対して、直接的かつ適切に貢献することができなかった。
例えば、所定の広告リンクが張られたＵＲＬを含む広告情報を、ユーザに対してメールで送信しても、このユーザが、かかるＵＲＬをクリックするとは限らず、たとえ、クリックしたとしても、当該ユーザが広告主のＷｅｂサイトを閲覧するとは限らない。
【０００８】
このように、従来の技術では、商品購買に適切に貢献する情報を新規ユーザやネットサーフィンを目的したユーザに提供することができないのが現状である。
【０００９】
本願発明は、以上の問題等に鑑みてなされたものであり、ネットサーフィンをしているユーザや新規ユーザの関心をひきつける情報を提供する画像制御プログラム、表示制御装置及び画像制御方法を提供することを目的とする。
【課題を解決するための手段】
【００１０】
上記課題を解決するために、請求項１に記載の発明は、Ｗｅｂページの所定の位置に表示される商品画像を制御する画像制御プログラムであって、前記Ｗｅｂページを表示する端末装置に、前記端末装置の入力装置から取得される入力情報を特定し、前記特定した入力情報の前記Ｗｅｂページ上における座標情報を取得する座標情報取得ステップと、前記商品画像の前記Ｗｅｂページの表示位置を示すレイアウト情報を特定するレイアウト情報特定ステップと、前記座標情報と前記レイアウト情報とを所定期間取得する取得ステップと、前記取得ステップによって取得された前記座標情報と前記レイアウト情報とに基づいて、前記商品画像の領域を、前記入力情報の座標情報が示す位置まで拡大表示させ、前記入力情報を前記商品画像の領域に重畳して表示させる表示制御ステップと、を実行させることを特徴とする。従って、Ｗｅｂページを興味のおもむくまま次々に表示して閲覧（例えば、ネットサーフィン）しているユーザに対して、関心をひきつける情報を提供することができる。
【００１１】
請求項２に記載の発明は、請求項１に記載の画像制御プログラムであって、前記表示制御ステップは、さらに、前記商品画像に関連する情報を示す他の画像を表示させることを特徴とする。
【００１２】
請求項３に記載の発明は、請求項１又は２の何れか１項に記載の画像制御プログラムであって、前記表示制御ステップは、さらに、前記商品画像に関連する情報を示す他のＷｅｂページを表示させることを特徴とする。従って、ネットサーフィン等を行っているユーザに対して、より関心をひきつける情報を提供することができる。
【００１３】
請求項４に記載の発明は、請求項１乃至３の何れか１項に記載の画像制御プログラムであって、前記表示制御ステップは、前記特定した入力情報を重畳して表示させた前記Ｗｅｂページと、前記特定した入力情報を重畳して表示させた前記商品画像に関連する情報を示す他のＷｅｂページとを表示させ、前記入力装置から取得される入力情報を、前記他のＷｅｂページに重畳して表示させた入力情報に切り替える入力情報制御ステップと、を実行させる。
【００１４】
請求項５に記載の発明は、請求項１乃至４の何れか１項に記載の画像制御プログラムであって、前記表示制御ステップは、前記座標情報が、前記商品画像の表示領域を含む所定の表示領域の範囲内に入った後、前記範囲内から出たと判定された場合に、前記レイアウト情報に含まれる商品画像の領域を、前記入力情報の座標情報が示す位置まで拡大表示させる。
【００１５】
請求項６に記載の発明は、Ｗｅｂページを端末に表示させる表示制御装置であって、前記端末の入力装置から取得される入力情報を特定し、前記特定した入力情報が前記Ｗｅｂページ上における座標情報を取得する座標情報取得手段と、前記商品画像の前記Ｗｅｂページにおける表示位置を示すレイアウト情報を特定するレイアウト情報特定手段と、前記座標情報と前記レイアウト情報とを所定期間取得する取得手段と、前記取得ステップによって取得された前記座標情報と前記レイアウト情報に基づいて、前記商品画像の領域を、前記入力情報の座標情報が示す位置まで拡大表示させ、前記入力情報を前記商品画像の領域に重畳して表示させる表示制御手段と、を備えることを特徴とする。
【００１６】
請求項７に記載の発明は、Ｗｅｂページを受信する受信ステップと、前記端末の入力装置から取得される入力情報を特定し、前記特定した入力情報が前記Ｗｅｂページ上における座標情報を取得する座標情報取得ステップと、前記Ｗｅｂページにおける前記商品画像の前記Ｗｅｂページにおける表示位置を示すレイアウト情報を特定するレイアウト情報特定ステップと、前記座標情報と前記レイアウト情報とを所定期間取得する取得ステップと、前記取得ステップによって取得された前記座標情報と前記レイアウト情報に基づいて、前記商品画像の領域を、前記入力情報の座標情報が示す位置まで拡大表示させ、前記入力情報を前記商品画像の領域に重畳して表示させる表示制御ステップと、を有することを特徴とする。
【発明の効果】
【００１７】
本発明によれば、Ｗｅｂページを興味のおもむくまま次々に表示して閲覧（例えば、ネットサーフィン）しているユーザの関心をひきつける情報を提供することができる。
【図面の簡単な説明】
【００１８】
【図１】本実施形態に係る情報提供システムＳの概要構成の一例を示す図である。
【図２】本実施形態に係る情報提供サーバ１の概要構成の一例を示すブロック図である。
【図３】ユーザ端末２−ｋの概要構成例を示すブロック図である。
【図４】ユーザ端末２−ｋのシステム制御部２７におけるＷｅｂページの表示処理を示すフローチャートである。
【図５】表示部２２のディスプレイ上に表れるＷｅｂページを示す図である。
【図６】マウスポインタ３０を商品画像３４の領域に重畳して表示させるシステム制御部２７の動作を示す概念図である。
【図７】システム制御部２７が、商品画像３４のサイズをユーザが操作するマウスポインタの示す位置まで拡大表示した場合の画面例を示す図である。
【図８】システム制御部２７が商品画像３４に関連する情報を示す他のＷｅｂページを表示する表示例を示す図である。
【図９】システム制御部２７が商品画像３４に関連する情報を示す他の画像を表示する表示例を示す図である。
【図１０】マウスポインタ３０を重畳して表示させた商品画像に関する情報を表示した場合のＷｅｂページの表示例を示す図である。
【発明を実施するための形態】
【００１９】
以下、図面を参照して本発明の実施形態について説明する。なお、以下に説明する実施の形態は、情報提供システムに対して本発明を適用した場合の実施形態である。
【００２０】
まず、本発明の一実施形態に係る情報提供システムＳの構成及び概要機能について、図１を用いて説明する。
【００２１】
図１は、本実施形態に係る情報提供システムＳの概要構成の一例を示す図である。
【００２２】
図１に示すように、情報提供システムＳは、情報提供サーバ１（表示制御装置の一例）と、複数のユーザ端末２−ｋ（ｋ＝１、２〜ｎ）（端末装置の一例。以下、「ユーザ端末２−ｋ」とする。）と、を含んで構成されている。
【００２３】
情報提供サーバ１とユーザ端末２−ｋは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２４】
図１の情報提供サーバ１は、インターネット上で、各種店舗とユーザが商品等の商取引を行うサービス（例えば、仮想商店街）を提供するＷｅｂサーバである。この情報提供サーバ１は、ユーザ端末２−ｋからのＨＴＴＰ（Hyper Text Transfer Protocol）リクエストに応じてＷｅｂページをユーザ端末２−ｋに配信する。
【００２５】
そして、ユーザ端末２−ｋは、Ｗｅｂブラウザにより、例えば、受信されたＷｅｂページをディスプレイ上に表れたウィンド画面内（ウィンド、又は画面）に表示する。
【００２６】
こうして表示されたＷｅｂページ上には、例えば、店舗サイトで取り扱われる商品に関する画像である商品画像又はテキスト、当該商品に関する情報である商品情報、当該商品を購入するためのユーザインターフェース等が含まれたＷｅｂページ等（以下、特に指定がない限り「Ｗｅｂページ」という。）が、ユーザ端末２−ｋの画面上に表示される。この商品画像等は、Ｗｅｂページの所定の位置に表示されるように、例えば、ＨＴＭＬ（Hyper Text Markup Language）文書ファイルとして記述されている。以下、このようなＷｅｂページにおける商品画像の表示位置や商品画像のサイズを示す情報含んだ情報をレイアウト情報とする。
【００２７】
そして、ユーザ端末２−ｋのユーザは、端末装置の入力装置（例えば、マウス等）から取得される入力情報（例えば、Ｗｅｂページに表示される画像やボタン等が、ポインタ（以下、「マウスポインタ」とする。）等で選択されることで得られる情報）に基づいて、店舗で取り扱われる商品を購入することができるようになっている。
【００２８】
さらに、本実施形態におけるＷｅｂページには、以下に示すようなスクリプトが埋め込まれている。このスクリプトは、例えば公知のＪＡＶＡ（登録商標）又はＣＧＩ（Common Gateway Interface）等によって記述されているがこれに限定されることはなく、任意に選択することができる。
【００２９】
具体的には、Ｗｅｂページにおいて、ユーザのマウス操作等から特定される入力情報を取得する。さらに、この入力情報のＷｅｂページ上の座標情報（マウスポインタのＷｅｂページ上における座標情報）を取得し、商品画像のＷｅｂページの表示位置や、商品の画像サイズ等を示すレイアウト情報を特定する。そして、座標情報とレイアウト情報とを所定期間取得し、商品画像のサイズを、ユーザが操作するマウスポインタの示す位置まで（即ち、マウスポインタの現在位置まで）拡大表示させ、マウスポインタと商品画像を重畳して表示させる。
【００３０】
なお、図１の例では、説明の便宜上、一つの情報提供サーバ１が示されているが、多数存在するようにしてもよい。また、本実施形態において、各出店者は複数の店舗（例えば、支店）を出店できるようになっている。また、ユーザ端末２−ｋは、利用者毎に多数存在する。
【００３１】
次に、本実施形態に係る情報提供サーバ１の構成及び機能について、図２を用いて説明する。
【００３２】
図２は、本実施形態に係る情報提供サーバ１の概要構成の一例を示すブロック図である。
【００３３】
図２に示すように、情報提供サーバ１は、通信部１１と、記憶部１２と、入出力インターフェース部１３と、システム制御部１４と、を備えている。そして、システム制御部１４と入出力インターフェース部１３とは、システムバス１５を介して接続されている。
【００３４】
通信部１１は、ネットワークＮＷに接続して、ユーザ端末２−ｋとの通信状態を制御するようになっている。
【００３５】
記憶部１２は、例えば、ハードディスクドライブ等により構成されており、オペレーティングシステム及びサーバプログラム等の各種プログラムを記憶する。なお、各種プログラムは、例えば、他のサーバ装置等からネットワークＮＷを介して取得されるようにしてもよいし、記録媒体に記録されてドライブ装置を介して読み込まれるようにしてもよい。
【００３６】
また、記憶部１２には、ＷｅｂページＤＢ（データベース）１２１が構築されている。
このＷｅｂページＤＢ１２１には、ユーザ端末２−ｋに提供する上記Ｗｅｂページを構成するためのＨＴＭＬ文書ファイル、ＸＭＬ（eXtensible Markup Language）文書ファイル、ＸＨＴＭＬ（Extensible HyperText Markup Language）文書ファイル、その他のプログラミング言語で記述されたファイル等が記憶されている。
【００３７】
また、上記ＨＴＭＬ文章中には、上述したスクリプトの一例として、マウスポインタが、商品画像の表示領域を含む所定の表示領域の範囲内（以下、「商品画像領域」とする。）に入った後、商品画像領域から出たと判定された場合に、商品画像のサイズを、ユーザが操作するマウスポインタの示す位置まで拡大表示させ、又は、商品画像に関連する情報を表示させるスクリプトが記述されている。
【００３８】
上述した商品画像領域は、具体的には、Ｗｅｂページの表示領域の所定の座標値に囲まれる範囲内をいう。さらに具体的には、この画像が略四角形の画像を示す場合には、この商品画像領域は、かかる画像の表示領域の端部全周から所定の間隔を空けて設定される座標値に囲まれる範囲内（すなわち、かかる画像の表示領域が示す表面積と相似形状を示し、かつ当該表面積よりも大きな表面積を示す領域）をいう。
【００３９】
例えば、商品画像領域の座標値は、Ｗｅｂページの所定の位置を商品画像領域の基準点（例えば（ｘ，ｙ））とすると、（ｘ＋１，ｙ）、（ｘ，ｙ＋１）、及び（ｘ＋１，ｙ＋１）の４つの座標値を採ることとなる。この場合、かかる座標値の個数は４つとなる。また、上述した商品画像のサイズを、ユーザが操作するマウスポインタの示す位置まで拡大表示させるスクリプトは、例えば、ＨＴＭＬ文書中のタグｉｆ〜ｆｏｒを用いて実現される。
【００４０】
また、拡大表示の一例として、商品画像を所定の拡大率によって拡大表示させることができる。
【００４１】
この拡大表示の一例として、例えば、商品画像のサイズをユーザが操作するマウスポインタの示す位置まで拡大表示（すなわち、商品画像とマウスポインタが重畳表示されるまでかかる商品画像を拡大）し、マウスポインタを前記商品画像の領域に重畳して表示することができる。このような拡大表示は、例えば、ＨＴＭＬ文書中のタグｄｒａｗＩｍａｇｅを用いて実現される。
【００４２】
具体的には、ｄｒａｗＩｍａｇｅ（ｉｍａｇｅ，ｘ，ｙ，ｗｉｄｔｈ，ｈｅｉｇｈｔ）
において、パラメータであるｉｍａｇｅ，ｘ，ｙには拡大表示する商品画像のＷｅｂページにおける座標値を、同様にパラメータであるｗｉｄｔｈ及びｈｅｉｇｈｔにはかかる拡大率を、それぞれ設定する。これらのパラメータを適宜設定することにより、マウスポインタの現在位置まで、当該商品画像を拡大表示させ、マウスポインタを当該商品画像の領域に重畳して表示させることが可能となっている。
【００４３】
また、商品画像に関連する情報を表示させるスクリプトの一例としては、例えば、商品画像と当該商品画像に関連する情報（例えば、画像等）が対応付けられ、ＨＴＭＬ文章中の例えばaltタグ内に記述される。そして、マウスポインタが商品画像領域に入った場合に、上記スクリプトによって、商品画像に関連する情報が表示されるようになっている。
【００４４】
この商品画像及び商品画像に関連する情報は、店舗サイトの運営者の操作に基づいて入力されるようにしてもよいし、他のユーザによって入力されるようにしてもよい。
【００４５】
なお、これらのデータベースは、データベースを管理するデータベースサーバに構築されるようにしてもよい。この場合、情報提供サーバ１は、上記データベースサーバ、その他のサーバから構成されるサーバ群として構成するようにしてもよい。
【００４６】
入出力インターフェース部１３は、通信部１１及び記憶部１２と、システム制御部１４との間のインターフェース処理を行うようになっている。
【００４７】
システム制御部１４は、ＣＰＵ（Central Processing Unit）１４ａ、ＲＯＭ（Read Only Memory）１４ｂ、ＲＡＭ（Random Access Memory）１４ｃ等により構成されている。
【００４８】
そして、システム制御部１４は、ユーザ端末２−ｋからのＨＴＴＰリクエストに応じて上述したＷｅｂページを生成し、ユーザ端末２−ｋに配信する。
【００４９】
次に、ユーザ端末２−ｋの構成及び機能について、図３を用いて説明する。
【００５０】
図３は、ユーザ端末２−ｋの概要構成例を示すブロック図である。
【００５１】
図３に示すように、ユーザ端末２−ｋは、操作部２１（本願の入力装置の一例）と、表示部２２（本願の画面の一例）と、通信部２３と、ドライブ部２４と、記憶部２５と、入出力インターフェース部２６と、システム制御部２７と、を備えている。そして、システム制御部２７と入出力インターフェース部２６とは、システムバス２８を介して接続されている。ユーザ端末２−ｋとしては、例えば、パーソナルコンピュータ、ＰＤＡ（Personal Digital Assistant）、又は携帯電話機等を適用できる。
【００５２】
操作部２１は、例えば、キーボード、タッチパネル、タブレット及びマウス等を備える。
【００５３】
また、本実施形態における操作部２１は、マウスポインタを画面上を移動し表示させるためのインターフェースとして用いられる。具体的には、ユーザの操作部２１の操作に基づいて、このマウスポインタが画面上に移動可能に表示されるようになっている。
【００５４】
なお操作部２１は、上述したキーボード、タッチパネル、タブレット及びマウスに限られず、種々のインターフェースを適用することができる。
【００５５】
表示部２２は、Ｗｅｂページ等を表示するためのディスプレイを備える。
【００５６】
通信部２３は、ネットワークＮＷに接続して情報提供サーバ１等との通信状態を制御する。
【００５７】
ドライブ部２４は、例えば、ＣＤ（Compact Disc）、ＤＶＤ（Digital Versatile Disc）等のディスクＤＫ（記録媒体）からデータ等を読み出す一方、当該ディスクＤＫに対してデータ等を記録する。
【００５８】
記憶部２５は、例えば、ハードディスクドライブ等からなり、オペレーティングシステム（Ｏ／Ｓ）、Ｗｅｂブラウザプログラム等を記憶する。
【００５９】
システム制御部２７は、ＣＰＵ２７ａ、ＲＯＭ２７ｂ、及びＲＡＭ２７ｃ等を備える。そして、システム制御部２７は、オペレーティングシステム実行下でＷｅｂブラウザプログラムを実行することにより、Ｗｅｂブラウザが起動し、情報提供サーバ１１から配信されるＷｅｂページを取得し画面上に表示させるとともに、本発明における座標情報取得ステップ（手段）、レイアウト情報特定ステップ（手段）、取得ステップ（手段）、表示制御ステップ（手段）、及び入力情報制御ステップ（手段）として機能し、以下の処理（動作）を行う。
【００６０】
次に、ユーザ端末２−ｋのシステム制御部２７におけるＷｅｂページの表示処理について、図４〜図１０を用いて説明する。
【００６１】
図４は、ユーザ端末２−ｋのシステム制御部２７におけるＷｅｂページの表示処理を示すフローチャートである。
【００６２】
図４に示すＷｅｂページ表示処理は、ユーザ端末２―ｋにおいて、Ｗｅｂブラウザが起動し、ユーザ端末２―ｋから情報提供サーバ１に送信されたＨＴＴＰリクエストに応じて、情報提供サーバ１から返信されたＷｅｂページを構成するデータ（ＨＴＭＬ文書ファイル、画像ファイル、及び動画ファイル等）が受信、取得されることにより開始される。
【００６３】
図４に示すＷｅｂページ表示処理では、ユーザ端末２―ｋのシステム制御部２７は、取得したＷｅｂページを表示部２２のディスプレイ上に表れたウィンド画面内に表示する（ステップＳ１）。
【００６４】
図５は、表示部２２のディスプレイ上に表れるＷｅｂページを示す図である。
【００６５】
図５に示すように、Ｗｅｂページ３１には、タイトル表示部３２と商品情報表示部３３等が表示されている。また、特定した入力情報の一例としてのマウスポインタ３０が表示されている。
【００６６】
タイトル表示部３２には、Ｗｅｂページ３１のタイトルが表示されている。かかるＷｅｂページ３１のタイトルは、上記店舗サイトで販売される商品について要約表示される文章が表示される。
【００６７】
商品表示部３３には、上記商品の種類、性質等、かかる商品についての情報の他、商品画像３４及び３５、商品画像領域３６が表示されている。
【００６８】
図４の説明に戻り、システム制御部２７は、マウスポインタ３０を特定し、この特定したマウスポインタ３０のＷｅｂページ上における座標情報を取得する（ステップＳ２）。
【００６９】
この座標情報は例えば、Ｗｅｂページの所定の位置を原点（例えば（０，０））とし、かかる原点を基準に所定の座標値（例えば、（ｘ、ｙ）等）で取得するようにしてもよいし、画素データ（ピクセル）として色情報と座標値を取得し、かかるピクセルを座標値として取得するようにしてもよい。
【００７０】
そして、システム制御部２７は、レイアウト情報を取得する（ステップＳ３）。
【００７１】
かかるレイアウト情報も上述した座標情報と同様に、Ｗｅｂページの所定の位置を原点（例えば（０，０））とし、かかる原点を基準に、商品画像の位置を座標値で取得するようにしてもよいし、画素データ（ピクセル）として色情報と座標値を取得し、かかるピクセルを座標値として取得するようにしてもよい。さらに、商品画像のサイズは、例えば商品画像のｘ方向及びｙ方向の画素数を算出し、かかる画素数によって当該サイズを定量化するようにしてもよい。
【００７２】
そして、システム制御部２７は、座標情報とレイアウト情報とを所定期間取得するようになっている。
【００７３】
この所定期間は任意に設定することができ、例えば、ユーザによるマウスポインタの操作が開始されてから任意の経過時間（例えば、１０秒間等）を、かかる所定期間として設定するようにしてもよいし、Ｗｅｂページが表示されてから任意の経過時間を、かかる所定期間として設定するようにしてもよい。
【００７４】
次に、システム制御部２７は、取得した座標情報により、マウスポインタ３０が、商品画像領域３６に入ったか否かを判定する（ステップＳ４）。
【００７５】
そして、システム制御部２７は、マウスポインタ３０が商品画像領域３６に入っていないと判定した場合には（ステップＳ４：ＮＯ）、Ｗｅｂページの表示終了指示があったか否かを判定する（ステップＳ５）。そして、表示終了指示があった場合には（ステップＳ５：ＹＥＳ）、当該処理は終了し、表示終了指示がない場合には（ステップＳ５：ＮＯ）、ステップＳ２に戻る。
【００７６】
一方、システム制御部２７は、マウスポインタ３０が商品画像領域３６に入ったと判定した場合には（ステップＳ４：ＹＥＳ）、引き続き座標情報とレイアウト情報とを取得し、マウスポインタ３０が商品画像領域３６から出たか否かを判定する（ステップＳ６）。
【００７７】
このようなＷｅｂページに表示される画像については、一般的にリンクが貼られており、当該画像をクリックすることによって、例えば、かかる画像を拡大した拡大画像が表示されたり、当該画像についての詳細な情報が他のウィンドに表示されたりすることが一般的に知られている。
【００７８】
このＷｅｂページを閲覧するユーザは、例えば、この商品画像について興味を抱くと、かかる商品画像についてさらに情報を得るために（例えば、拡大画像を表示されることを期待して）、操作部２１の操作によってマウスポインタ３０を当該商品画像の周囲へ移動させる。
【００７９】
一方、上記ユーザは、商品画像について興味を抱かなくなった場合（関心が薄れてしまった場合）には、他の情報を得るために、操作部２１の操作によってマウスポインタ３０を当該商品画像から遠方へ移動させる。
【００８０】
そこで、本発明では、このような商品画像について興味を抱かなくなったユーザに対して、当該商品について興味を抱かせるべく、上述したように商品画像のサイズを、ユーザが操作するマウスポインタの示す位置まで拡大表示させするようになっている。
【００８１】
具体的には、システム制御部２７は、マウスポインタ３０が商品画像領域３６に入った後、商品画像領域３６から出たと判断した場合には（ステップＳ６：ＹＥＳ）、システム制御部２７は、商品画像３４のサイズを、ユーザが操作するマウスポインタ３０の示す位置まで拡大表示させ、マウスポインタ３０を商品画像３４の領域に重畳して表示させる（ステップＳ７）。
【００８２】
ここで、商品画像３４のサイズを、ユーザが操作するマウスポインタの示す位置まで拡大表示させマウスポインタ３０を商品画像３４の領域に重畳して表示させるシステム制御部２７の動作について、図６を用いて説明する。
【００８３】
図６は、商品画像３４のサイズをユーザが操作するマウスポインタ３０の示す位置まで拡大表示させ、マウスポインタ３０を商品画像３４の領域に重畳して表示させるシステム制御部２７の動作を示す概念図である。
【００８４】
図６（イ）では、Ｗｅｂページを閲覧するユーザが、操作部２１の操作によってマウスポインタ３０を商品画像３４の周囲へ移動させた様子が示されている。このとき、マウスポインタ３０は、商品画像領域３６に入っている。また、システム制御部２７は、マウスポインタ３０の座標情報と商品画像３４のレイアウト情報を所定期間取得し、その結果、マウスポインタ３０が商品画像領域３６に入っていると判定している。
【００８５】
図６（ロ）では、Ｗｅｂページを閲覧するユーザが、操作部２１の操作によってマウスポインタ３０を商品画像３４から遠方へ（すなわち、マウスポインタ３０を商品画像３４から遠ざける方向へ）移動させた様子が示されている。このとき、マウスポインタ３０は、商品画像領域３６から出ている。また、システム制御部２７は、マウスポインタ３０の座標情報と商品画像３４のレイアウト情報に基づいて、マウスポインタ３０が、商品画像領域３６に入った後、商品画像領域３６から出たと判定している。
【００８６】
図６（ハ）では、システム制御部２７が、マウスポインタ３０が商品画像領域３６から出たと判定し、商品画像３４のサイズをユーザが操作するマウスポインタ３０の示す位置まで拡大表示し、マウスポインタ３０を商品画像３４の領域に重畳して表示商品画像する様子を示している。
【００８７】
換言すれば、システム制御部２７は、マウスポインタ３０の現在位置まで商品画像３４を拡大表示（すなわち、拡大画像３４ｂによってマウスポインタ３０が捉えられている）するようになっている。
【００８８】
図７は、システム制御部２７が、商品画像３４のサイズをユーザが操作するマウスポインタの示す位置まで拡大表示した場合の画面例を示す図である。
【００８９】
図７に示すように、Ｗｅｂページ３１では、拡大画像３４ｂによってマウスポインタ３０が捉えられている様子が示されている。
【００９０】
Ｗｅｂページ３１に示されるこのような表示上の変化（即ち、拡大画像３４ｂの表示）は、拡大画像３４ｂを見た上記ユーザに対して、拡大画像３４ｂが示す商品について目を向けさせ、かかる商品について興味を抱かせるきっかけとなる。即ち、ネットサーフィンをしているユーザや新規ユーザの関心をひきつけることができる。
【００９１】
なお、本実施形態における商品画像領域３６は、略正方形状を示しているが、これに限定されず、例えば、三角形、円形、菱形等種々の形態を採用することができる。また、商品画像領域３６は、商品画像３４と相似形状を示しているが、これに限定されず、例えば、合同であってもよい。
【００９２】
次に、システム制御部２７が、商品画像３４に関連する情報を示す他のＷｅｂページを表示する表示例を、図８を用いて説明する。
【００９３】
図８は、システム制御部２７が商品画像３４に関連する情報を示す他のＷｅｂページを表示する表示例を示す図である。
【００９４】
図８には、商品画像３４に関連する情報を示す他のＷｅｂページとしてのウィンド４１が表示されている。
【００９５】
具体的には、ウィンド４１には、商品画像３４に示される商品を取り扱う店舗のホームページが表示されている。このウィンド４１は、例えば、ＨＴＭＬ文書中のタグＩｆｒａｍｅを用いて実現される。具体的には、かかるＨＴＭＬ文書中のタグにおいて、＜ｉｆｒａｍｅ  ｓｒｃ＝“店舗のホームページのＵＲＬ”＞〜＜／ｉｆｒａｍｅ＞と記述することにより、ウィンド４１に当該ＵＲＬが示すＷｅｂページが表示されることとなる。また、システム制御部２７は、商品画像に関連する情報を示す他の画像を表示させることもできる。
【００９６】
図９は、システム制御部２７が商品画像３４に関連する情報を示す他の画像を表示する表示例を示す図である。
【００９７】
図９に示すように、Ｗｅｂページ３１には、商品画像３４に関連する情報を示す他の画像として他の画像５１が表示されている。
【００９８】
他の画像５１には、例えば、商品画像３４に示す商品に関する情報（例えば、産地や価格情報等）が商品画像３４と共に示されている。
【００９９】
上記の効果と同様に、このＷｅｂページ３１に示されるこのような表示上の変化は、他の画像５１を見た上記ユーザに対して、他の画像５１が示す商品について目を向けさせ、かかる商品について興味を抱かせるきっかけとなる。
【０１００】
また、他の画像５１に表示される画像はこれに限定されることなく、任意に選択することができる。
【０１０１】
例えば、商品画像３４に示される商品の割引券等を表示するようにしてもよい。この割引券は、例えば、表示された割引券を印刷することによって、商品の購入時に、実際の店舗において金券として使用することができる。
【０１０２】
また、例えば店舗サイトの情報提供サーバ１は、かかる割引券をマウスポインタ３０でクリックされることにより、店舗サイトにおける商品の決算時に、この割引券が示す割引率を商品の価格に乗じた額を決算金額として処理するようにしてもよい。
【０１０３】
また、システム制御部２７は、座標情報とレイアウト情報とに基づいて、マウスポインタを重畳して表示させたＷｅｂページと、他のマウスポインタを重畳して表示させた商品画像に関連する情報を示す他のＷｅｂページとを表示することもできる。
【０１０４】
図１０は、システム制御部２７がマウスポインタを重畳して表示させたＷｅｂページと、他のマウスポインタを重畳して表示させた商品画像に関連する情報を示す他のＷｅｂページとを表示する表示例を示す図である。
【０１０５】
図１０に示すように、表示部２２には、Ｗｅｂページ３１とＷｅｂページ６１が表示されている。さらに、マウスポインタ３０はＷｅｂページ３１に、マウスポインタ６２はＷｅｂページ６１に、それぞれ重畳して表示されている。
【０１０６】
システム制御部２７は、例えば、マウスポインタ３０が、商品画像領域３６に入った後、商品画像領域３６から出たと判断した場合に、マウスポインタ３０をＷｅｂページ３１に、マウスポインタ６２をＷｅｂページ６１に、それぞれ重畳して表示するようになっている。
【０１０７】
このＷｅｂページ６１には、商品画像３４に示される商品を取り扱う店舗のホームページが表示されている。なお、Ｗｅｂページ６１を表示する方法については、例えば、上述したＨＴＭＬ文書中のタグＩｆｒａｍｅを用いて実現するようにしてもよい。
【０１０８】
さらに、システム制御部２７は、操作部２１から取得する入力情報を、Ｗｅｂページ６１に重畳して表示されるマウスポインタ６２にのみ反映させるように（すなわち、マウスポインタ６２を自動的に活性化する。）自動的に設定するようになっている。
【０１０９】
これは、新規にページが表示されるマウスには、他のページの表示に関係なく活性化されるようにシステム制御部２７に動作させるためのスクリプトを組んでおくものとする。
【０１１０】
このようにシステム制御部２７は、マウスポインタ３０が商品画像領域３６に入った後、商品画像領域３６から出たと判断した場合には、Ｗｅｂページ３１のほかにＷｅｂページ６１を表示部２２に並べて表示するが、このような表示上の変化は、Ｗｅｂページ６１を見た上記ユーザに対して、Ｗｅｂページ６１が示す商品について目を向けさせ、かかる商品について興味を抱かせるきっかけとなる。
【０１１１】
図４の説明に戻り、システム制御部２７は、マウスポインタ３０が商品画像領域３６から出ていないと判定した場合には（ステップＳ６：ＮＯ）、Ｗｅｂページの表示終了指示があったか否かを判定する（ステップＳ５）。そして、当該表示終了指示があった場合には（ステップＳ５：ＹＥＳ）、当該処理は終了し、当該表示終了指示がない場合には（ステップＳ５：ＮＯ）、ステップＳ２に戻る。
【０１１２】
なお、以上説明した実施形態は特許請求の範囲にかかる発明を限定するものではない。そして、上記実施形態の中で説明されている構成の組み合わせ全てが発明の課題解決に必須の手段であるとは限らない。
【０１１３】
以上説明したように、上記実施形態によれば、システム制御部２７は、マウスポインタ３０を特定し、特定したマウスポインタ３０のＷｅｂページ３１上における座標情報を取得し、商品画像３４のＷｅｂページ３１の表示位置を示すレイアウト情報を特定し、前記座標情報と前記レイアウト情報とを所定期間取得し、前記取得された座標情報と前記レイアウト情報に基づいて、商品画像３４の領域を、マウスポインタ３０の座標情報が示す位置まで拡大表示させ、マウスポインタ３０を商品画像３４の領域に重畳して表示させるため、Ｗｅｂページを興味のおもむくまま次々に表示して閲覧（例えば、ネットサーフィン）しているユーザに対して、関心をひきつける情報を提供することができる。
【０１１４】
また、上記実施形態では、システム制御部２７は、取得された前記座標情報と前記レイアウト情報に基づいた判定の一例として、前記座標情報が、前記商品画像の表示領域を含む所定の表示領域の範囲内に入った後、前記範囲内から出たと判定された場合を例にとって説明したが、これに限定されることはない。
【０１１５】
例えば、取得された前記座標情報と前記レイアウト情報に基づいた判定の他の例として、取得された前記座標情報が、前記レイアウト情報に含まれる他の画像に所定期間停止（即ち、当該他の画像上にマウスポインタが重畳）していた場合に、上記拡大画像を表示するようにしてもよい。
【０１１６】
また、Ｗｅｂページに表示される上記拡大画像の表示態様は、任意に選択することができる。具体的には、例えば、上述した拡大画像をアニメーション表示により表示するようにしてもよい。
【０１１７】
また、Ｗｅｂページに表示される上記拡大画像の配色は、任意に選択することができる。具体的には例えば、かかるＷｅｂページの背景色に対して、際立って目立つ配色にすることもできる。さらに、当該配色を、Ｗｅｂページが閲覧される時間に応じて変化させるようにしてもよい。
【０１１８】
また、図４に示すフローチャートに対応するプログラムをフレキシブルディスク又はハードディスク等の記録媒体に記録しておき、あるいはネットワークＮＷを介して取得して記憶しておき、これらを汎用のコンピュータ等に読み出して実行させることにより、当該コンピュータ等を上記実施形態にかかるシステム制御部２７が示す動作と同様に機能させることも可能である。
【符号の説明】
【０１１９】
１            情報提供サーバ
２−ｋ        ユーザ端末
１１、２３    通信部
１２、２５    記憶部
１３、２６    入出力インターフェース部
１４、２７    システム制御部
１５、２８    システムバス
２１          操作部
２２          表示部
２４          ドライブ部
ＮＷ          ネットワーク
Ｓ            情報提供システム
【図１】
2011215795.tif 000003
【図２】
2011215795.tif 000004
【図３】
2011215795.tif 000005
【図４】
2011215795.tif 000006
【図５】
2011215795.tif 000007
【図６】
2011215795.tif 000008
【図７】
2011215795.tif 000009
【図８】
2011215795.tif 000010
【図９】
2011215795.tif 000011
【図１０】
2011215795.tif 000012